【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
ソール構造に接続されるように構成された履物製品のアッパーであって、
前記ソール構造に隣接して配設されるように構成されたベース部を有するニット構成要素であり、前記ベース部が、前記ニット構成要素の内側面および外側面を規定し、前記ベース部が、前記内側面と前記外側面との間にベース部経路を規定した、ニット構成要素と、
前記ベース部経路を通って延びた伸張性ストランドと、
を備えた、アッパー。
【請求項２】
前記ニット構成要素が、前記ニット構成要素の前記内側面および前記外側面を規定した側部を具備し、前記側部が、前記内側面と前記外側面との間に側部経路を規定し、前記伸張性ストランドが、前記ベース部経路および前記側部経路の両者間で連続的に延びるとともに両者に収容された、請求項１に記載のアッパー。
【請求項３】
前記伸張性ストランドが前記ベース部経路と前記側部経路との間で連続的に延びる際に前記ベース部経路および前記側部経路に埋め込まれるように、前記ベース部経路および前記側部経路が互いに連通した、請求項２に記載のアッパー。
【請求項４】
前記側部が、足の内側区域を覆うように構成された内側部と、足の外側区域を覆うように構成された外側部とを具備し、前記伸張性ストランドが、前記内側部から前記ベース部を通って前記外側部まで連続的に延びた、請求項２または３に記載のアッパー。
【請求項５】
前記伸張性ストランドが、前記内側部と前記外側部との間で交互に延びた、請求項４に記載のアッパー。
【請求項６】
前記伸張性ストランドが、足に前記アッパーを選択的に固定するクロージャー要素を収容および支持するように構成されたターンを具備した、請求項５に記載のアッパー。
【請求項７】
前記側部が、開口部を具備し、前記ターンが、前記開口部周りで少なくとも部分的に延び、前記開口部および前記ターンが、前記クロージャー要素を協働して収容および支持するように構成された、請求項６に記載のアッパー。
【請求項８】
前記側部が、前記ベース部を備えた一体ニット構造で構成された、請求項２〜７のいずれか一項に記載のアッパー。
【請求項９】
前記伸張性ストランドが、前記ベース部経路にスライド可能に収容された、請求項１〜８のいずれか一項に記載のアッパー。
【請求項１０】
前記伸張性ストランドが、前記ベース部に固定して取り付けられた、請求項１〜８のいずれか一項に記載のアッパー。
【請求項１１】
前記伸張性ストランドが、前記ベース部に融着されるように構成された融着性ストランドである、請求項１０に記載のアッパー。
【請求項１２】
前記ベース部が、足のアーチの下側に延びるように構成されたアーチ支持領域を具備し、前記伸張性ストランドが、前記アーチ支持領域を横切って延びた、請求項１〜１１のいずれか一項に記載のアッパー。
【請求項１３】
前記側部が、前記ベース部を備えた一体ニット構造で編まれ、および構成された、請求項２に記載のアッパー。
【請求項１４】
前記ニット構成要素が、前記内側面を規定したニット生地の第１の層と、前記外側面を規定した生地の第２の層と、前記第１の層と前記第２の層との間に延び、両者間に間隔を設ける複数のスペーサストランドとを具備し、前記ベース部経路が前記複数のスペーサストランド間に規定された、請求項１〜１３のいずれか一項に記載のアッパー。
【請求項１５】
ソール構造に接続されるように構成された履物製品のアッパーであって、
前記ソール構造に隣接して配設されるように構成されたベース部を有するニット構成要素であり、前記ベース部が、前記ベース部の内側面を規定したニット材料の第１の層と、前記ベース部の外側面を規定したニット材料の第２の層と、前記第１の層と前記第２の層との間に延び、両者間に間隔を設ける複数のスペーサストランドとを有し、ベース部経路が前記複数のスペーサストランド間に規定された、ニット構成要素と、
前記ベース部経路を通って延びた伸張性ストランドと、
を備えた、アッパー。
【請求項１６】
前記ニット構成要素が、前記ベース部から延びるとともに前記ニット構成要素の前記内側面および前記外側面を規定した側部を具備し、前記側部が、前記内側面と前記外側面との間に側部経路を規定し、前記伸張性ストランドが、前記ベース部経路および前記側部経路の両者間で連続的に延びるとともに両者に収容された、請求項１５に記載のアッパー。
【請求項１７】
前記側部が、前記ベース部の両側から延びた内側部および外側部を具備し、前記伸張性ストランドが、前記内側部から前記ベース部を通って前記外側部まで連続的に延びた、請求項１６に記載のアッパー。
【請求項１８】
縫い目で結合されて、足を収容するように構成された空洞を前記ベース部および前記側部に協働して規定させる前記ニット構成要素の第１の縁部および前記ニット構成要素の第２の縁部をさらに備えた、請求項１６または１７に記載のアッパー。
【請求項１９】
前記伸張性ストランドが、前記ベース部経路にスライド可能に収容された、請求項１５〜１８のいずれか一項に記載のアッパー。
【請求項２０】
前記伸張性ストランドが、前記ベース部に固定して取り付けられた、請求項１５〜１８のいずれか一項に記載のアッパー。
【請求項２１】
前記伸張性ストランドが、前記ベース部に融着されるように構成された融着性ストランドである、請求項２０に記載のアッパー。
【請求項２２】
前記ベース部が、足のアーチの下側に延びるように構成されたアーチ支持領域を具備し、前記伸張性ストランドが、前記アーチ支持領域を横切って延びた、請求項１５〜２１のいずれか一項に記載のアッパー。 
【手続補正２】
【補正対象書類名】明細書
【補正対象項目名】００２４
【補正方法】変更
【補正の内容】
【００２４】
図４〜図６は、履物製品１００のアッパー１２０の大部分を規定するものとして、ニット構成要素１１６の例示的な実施形態を示している。図示のように、アッパー１２０のニット構成要素１１６は、ベース部１２４すなわちストローベル部または足下部を具備可能である。また、ニット構成要素１１６は、ベース部１２４から延びた１つまたは複数の側部１２６を具備可能である。ベース部１２４は、ソール構造１１０に隣接するように構成可能である。たとえば、ベース部１２４は、ソール構造１１０の上に位置するように、ソール構造１１０に直接的または間接的に取り付け可能である。別の実施形態においては、ベース部１２４の１つまたは複数の部品（たとえば、ベース部１２４の周辺）がソール構造１１０に取り付け可能である一方、他の部品は剥離または分離されたままである。また、ベース部１２４は、着用者の足の直下に延びるように構成可能である。側部１２６は、ベース部１２４から延び、着用者の足を少なくとも部分的に覆うように構成可能である。また、ベース部１２４および側部１２６は、協働して、着用者の足を収容する空洞１２２を規定可能である。ここで再び、ベース部１２４および側部１２６は、上述の通り、一体ニット構造で構成可能である。 
【手続補正３】
【補正対象書類名】明細書
【補正対象項目名】００５９
【補正方法】変更
【補正の内容】
【００５９】
さらに、図６に示すように、アッパー１２０は、ベース部１２４および／または側部１２６に結合された少なくとも１つの伸張性ストランド１５８を具備可能である。ストランド１５８は、ベース部１２４および／または側部１２６の任意の部分に結合可能である。また、ストランド１５８は、任意適当な方法でベース部１２４および／または側部１２６に結合可能である。たとえば、ストランド１５８は、以下に論じる通り、ベース部１２４および側部１２６の一体ニット構造のコースおよび／またはウェールに挿入することができる。したがって、ストランド１５８は、上述するとともに図１３および図１４に示すストランド１１３２に対応可能である。また、ストランド１５８は、ベース部１２４および／または側部１２６の内側面１２１または外側面１２３に接着、締結、貫通、または他の形で結合可能である。 
【手続補正４】
【補正対象書類名】明細書
【補正対象項目名】００６１
【補正方法】変更
【補正の内容】
【００６１】
ストランド１５８は、細長かつ柔軟とすることができる。また、ストランド１５８は、少なくとも１つのヤーン、ケーブル、ワイヤ、糸、より糸、フィラメント、繊維、スレッド、ロープ等を具備可能である。また、ストランド１５８は、レーヨン、ナイロン、ポリエステル、ポリアクリル、絹、綿、カーボン、ガラス、アラミド（たとえば、パラアラミド繊維およびメタアラミド繊維）、超高分子量ポリエチレン、液晶ポリマー、銅、アルミニウム、鋼等の適当な材料で構成可能である。ストランド１５８に用いられる個別のフィラメントは、単一の材料（すなわち、単一成分フィラメント）または複数の材料（すなわち、複合フィラメント）で構成されていてもよい。同様に、異なるフィラメントが異なる材料で構成されていてもよい。一例として、ストランド１５８として用いられるヤーンは、共通の材料で構成されたフィラメントを含んでいてもよいし、２つ以上の異なる材料で構成されたフィラメントを含んでいてもよい。同様の考え方は、スレッド、ケーブル、ロープ等にも当てはまる。ストランド１５８の厚さ（直径）は、たとえば、およそ０．０３ｍｍ〜５ｍｍの範囲内とすることができる。また、ストランド１５８は、実質的に円形の断面、卵形の断面、または他の任意適当な形状の断面を有することができる。 
【手続補正５】
【補正対象書類名】明細書
【補正対象項目名】００７２
【補正方法】変更
【補正の内容】
【００７２】
当然のことながら、図１０および図１１に示す実施形態において、ストランド１５８は、着用者の足底の様々な区域を支持可能である。たとえば、ストランド１５８は、着用者の足のアーチの直下に配設されるように構成されたアーチ領域１６７に配設可能である。したがって、アーチ領域１６７のストランド１５８は、特に靴ひも１５５によって引っ張られている場合に、着用者のアーチを支持可能である。 
【手続補正６】
【補正対象書類名】明細書
【補正対象項目名】００８３
【補正方法】変更
【補正の内容】
【００８３】
アッパー２２０は、上述の実施形態と同様に、内側部２３２、ベース部２２４、および外側部２３０を横切って交互に延びたストランド２５８を具備可能である。また、ストランド２５８は、１つまたは複数の経路２６２を通って延びることができる。ただし、経路２６２は、内側部２３２および外側部２３０において規定可能であり、ベース部２２４から離間可能である。 
【手続補正７】
【補正対象書類名】明細書
【補正対象項目名】００８９
【補正方法】変更
【補正の内容】
【００８９】
各部品３２９，３３１は、一体ニット構造を有する材料で構成可能である。たとえば、図２５に示すように、部品３２９，３３１は、ニットシート材料の第１の層３８１および第２の層３８３で構成可能であり、層３８１，３８３間では、複数のスペーサストランド３８５が横方向に延びることができる。スペーサストランド３８５は、単一成分フィラメント等の適当な材料で作製可能であるとともに、層３８１，３８３間で実質的に垂直に延びることができる。また、スペーサストランド３８５は、層３８１，３８３間において、９０°以外の角度で延びることができるとともに、一部の実施形態においては、層３８１，３８３間でジグザグ構成とすることができる。スペーサストランド３８５は、層３８１，３８３間で結合して間隔を空けることができる。したがって、部品３２９，３３１は、いわゆる「スペーサニット材料」で作製可能であり、２００８年１２月１８日に出願され、特許文献１として２０１０年６月２４日に公開された米国特許出願第１２／３３８，７２６号に開示の材料を含むことができ、そのすべての内容を参考として援用する。 
【手続補正８】
【補正対象書類名】明細書
【補正対象項目名】００９８
【補正方法】変更
【補正の内容】
【００９８】
図２４および図２５に示すように、伸張性ストランド３５８は、経路３６２それぞれを通って延びることができる。伸張性ストランド３５８は、アッパー３２０上の任意適当な位置を横切って延びることができる。たとえば、ストランド３５８は、外側部３３０、ベース部３２４、および内側部３３２の間で連続して延びることができる。別の実施形態において、ストランド３５８は、ベース部３２４上に局在可能である。また、ストランド３５８は、他の方法でも同様に、ニット構成要素３１６を通ってルーティング可能である。
【手続補正９】
【補正対象書類名】図面
【補正対象項目名】図１０
【補正方法】変更
【補正の内容】
【図１０】
2016516457.tif 000001
【手続補正１０】
【補正対象書類名】図面
【補正対象項目名】図１１
【補正方法】変更
【補正の内容】
【図１１】
2016516457.tif 000002